(57)【要約】      （修正有）【課題】ジッパーの裏側への被包装物の逆流の阻止により、ジッパーの開閉操作を容易化する。【解決手段】隔壁シート１１の上縁１６を、包袋１０の片側１２内面に貼り付け、包袋片側１２面と、隔壁シート１１との対向面にジッパー１５を設け、隔壁シート１１の裏側面１７と、包袋の別面１３との間に、被包装物の充填通路１８を形成した包袋であって、包袋は、充填通路１８を通して被包装物２０を充填したあと、開口部をシールバー２１、２２で閉鎖し、また隔壁シートの裏側面１７と、包袋の別面１３とをシーラ３１、３２で溶着して充填通路１８を閉鎖して通路１８への被包装物２０の逆流を阻止する。【選択図】図１
0003113929.tif 000002
【実用新案登録請求の範囲】
【請求項１】
上部を開口した包袋内部に、所定高さ幅の隔壁シートを配置し、該シートの上縁を前記包袋の片側の袋内面に貼り付けると共に、前記片側の袋内面と前記隔壁シートとの対向面に雄雌両要素からなるジッパーを設ける一方、前記隔壁シートの裏側面と、前記包袋の別面との間に、被包装物の充填通路を形成した包袋であって、該包袋は、前記開口部から前記の充填通路を通して被包装物を充填すると共に、前記開口部を閉鎖して被包装物を密封したあと、前記隔壁シートの裏側面と、前記包袋の別面とを溶着して前記の被包装物の充填通路を閉鎖した包装体。
【請求項２】
上部を開口した包袋内部に、所定高さ幅の隔壁シートを配置し、該シートの上縁を前記包袋の片側の袋内面に貼り付けると共に、前記片側の袋内面と前記隔壁シートとの対向面に雄雌両要素からなるジッパーを設ける一方、前記隔壁シートの裏側面と、前記包袋の別面との間に被包装物の充填通路を形成した包袋を、該包袋の両側縁を一対のクランプで挟持して同クランプと一体に無端軌道に沿って運搬し、      前記無端軌道における所定のセクションにおいて、前記包袋の、前記開口部から前記の充填通路を通して被包装物を充填する機構と、前記セクションより後方の前記無端軌道における所定のセクションに設置した開口部溶着用の一対のシールバーと、前記充填通路を閉鎖するための、前記包袋の別面を外部から加熱するシーラと、前記包袋の片側を隔てて前記隔壁シートを冷却するシーラとを備える装置。
【請求項３】
前位のセクションで一対のシールバーにより包袋の開口部を加熱シールし、この加熱シールの後、後位のセクションで一対のシーラにより充填通路を閉鎖する請求項２に記載の装置。
【請求項４】
前位のセクションで一対のシールバーにより包袋の開口部を加熱シールしたあと、後位のセクションでクランプの挟圧力を緩め、別箇の挟持爪で挟持した前記包袋を上または下に位置変化させて、一対のシーラにより充填通路を閉鎖するようにした請求項３に記載の装置。
【請求項５】
前位のセクションで一対のシーラにより充填通路を閉鎖したあと、後位のセクションで一対のシールバーにより包袋の開口部を加熱シールする請求項２に記載の装置。
【考案の詳細な説明】
【技術分野】
【０００１】
本考案は、開口部に開閉自在なジッパーを備える包装体の構造及び、前記包装体に被包装物を充填しかつ密封する装置の構造に関する。
【背景技術】
【０００２】
プラステイック製の包装用袋の開口縁に沿ってジッパーを設けたものが存在する。当該ジッパーは、細長き溝型の雌要素に、細長き雄要素を押し込んで袋口を閉鎖することができ、これら両要素は外部からの強制力で分離することで包袋を開口することができる。かかる包袋は開口したジッパー間にホッパーを差し入れて被包装物を充填することななるが、この場合、前記被包装物が前記ジッパーの噛み合わせ面に付着することがあり、同ジッパーの閉鎖が不完全になるという問題を抱える。
【０００３】
この点、下記の特許文献１には、
上部を開口した包袋内部に、所定高さ幅の隔壁シートを配置し、該シートの上縁を、片側の袋内面に貼り付けると共に、前記片側の袋内面と前記隔壁シートとの対向面に雄雌両要素からなるジッパーを設ける一方、前記隔壁シートの裏側面と、前記包袋の別面との間に、被包装物の充填通路を形成した包袋を開示する。つまり前記包袋開口部から、同包袋の別面と前記隔壁シートの背面との間を通して同包袋内に被包装物を充填したあと、前記開口部を閉鎖して被包装物を密封し、開口に当たっては、前記隔壁シート上縁の貼り付け部分と、前記ジッパーとの間を、包袋に貼り付けたオープンテープで引き裂いたあと、前記ジッパー部分を任意に開封することができる構造である。
【０００４】
前記構造は、ジッパーを片側の袋面と隔壁シートとに貼り付けるので、充填した被包装物の重量が、ジッパーを袋両側面に固定した従来型のように、ジッパーに影響して同ジッパーを自然に開口させるというようなことが少なく、また隔壁シートが被包装物の充填通路と、ジッパーとを隔離するので、被包装物充填時にジッパー噛み合わせ面に被包装物が付着するのを防止できる、などの利点を備えるが、前記の被包装物充填通路は開放されたままであるので、流通過程で被包装物が前記の充填通路に逆流して噛みこんだ場合、前記ジッパーの開閉操作が難しくなるという問題がある。
【０００５】
【特許文献１】特開２００３−０９５２８６号公報
【考案の開示】
【０００６】
本考案の包装体は、前記問題を解決するために、上部を開口した包袋内部に、所定高さ幅の隔壁シートを配置し、該シートの上縁を前記包袋の片側の袋内面に貼り付けると共に、前記片側の袋内面と前記隔壁シートとの対向面に雄雌両要素からなるジッパーを設ける一方、前記隔壁シートの裏側面と、前記包袋の別面との間に、被包装物の充填通路を形成した包袋であり、該包袋は、前記開口部から前記の充填通路を通して被包装物を充填しかつ前記開口部を閉鎖して被包装物を密封したあと、前記隔壁シートの裏側背面と、前記包袋の別面とを溶着して前記の被包装物の充填通路を閉鎖して構成する。
【０００７】
前記の構成によれば、前記開口部から前記の充填通路を通して被包装物を充填でき、その後、前記開口部を閉鎖して被包装物を密封して、前記隔壁シートの裏側面と前記包袋の別面とを溶着して前記の被包装物の充填通路を閉鎖するので、横倒しにしても前記被包装物の前記充填通路への逆流を阻止できる包装体を構成でき、かかる構成では包袋の２つの面に被包装物による異なる荷重が作用することになるが、前記包袋の別面は前記の隔壁シートと繋がるから、ジッパーの雄雌両要素に極端な異なる荷重が作用することを防止する効果をそのまま維持てきる。
【実施例１】
【０００８】
縦方向に短縮した包袋１０の断面を示す図２において、前記包袋内部に、帯状の所定高さ幅の隔壁シート１１を配置し、該シート１１に固定した雌要素と、前記包袋の片側面１２に固定した雄要素とからなるジッパー１５を結合する一方、前記シート１１の上縁１６を前記片側面１２に溶着固定する共に、前記隔壁シート１１の裏側面１７と、前記包袋の別面１３との間に、充填通路１８を形成し、該充填通路を通して被包装物２０を前記包袋１０に充填１９する。
【０００９】
図３に示すように一対のクランプ２０は、前記包袋１０の両側縁を挟持しかつ吊り下げて同包袋を無端軌道に沿って運搬し、所定のセクションにおいて筒状ホッパー４１を通して被包装物を包袋２０内に充填するのであり、一対のクランプ２０に吊り下げた包袋１０をその後、後方の所定のセクションに搬送し、図１に示すごとく両側一対のシールバー２１、２２により袋口を挟圧加熱シールして密封（図４における符号２３を参照）するのである。なおこの場合のシール方式としては、シールバーを直接加熱する構造、またはフイラメントを高圧電流で加熱するインパルス方式等があるが、いずれも自明の方式であり詳しく説明することは省略する。
【００１０】
図５に示すごとく袋口の加熱シール２３を完了した包袋１０は、シート上縁１６の溶着部分と、ジッパー１５との間に形成したオープンテープ２５で包袋を引き裂き、予備開口部２６を形成することにより、ジッパー１５を開放して、すでに充填した被包装物を前記予備開口部２６か取り出すことができるが、包袋の別面１３とシート１１との間隙２７に被包装物が噛みこむと、この噛み込んだ被包装物が前記ジッパー１５の再閉鎖を困難にする原因をつくる可能性がある。
【００１１】
そこで図１に示すごとく、包袋の片側面１２の外部における冷却水通路２７を備える冷却バー３１と、前記包袋の別面１３の外部におけるヒータ２８を備える加熱バー３２とにより構成するシーラでもって、前記隔壁シート１１部分を挟圧し、前記シート１１と前記包袋別面１３とを溶着する。なお前記シート１１側に冷却バー３１を配置したのは、包袋とシート１１との溶着を阻止してジッパー１５を封じ込めないためてある。しかして図６のごとく包袋別面１３と隔壁シート１１とは一体化するので、ジッパー１５の分離及び結合が確実かつ能率化する可能性が高まるのである。
【００１２】
図３においてホッパー４１を通して被包装物を充填した包袋１０は、無端軌道５０又は６０のいずれかを優先させて先に説明したシール作用を段階的に行うことができる。すなわち、まず軌道５０を通って一対のシールバー２１、２２の間に包袋を搬入し、図１において一対のシールバー２１、２２により袋口を溶着した場合、その後、無端軌道７０から包袋１０は一対のシーラ３１、３２間に送られ、当該セクションでもって図１のごとくシーラ３１、３２は、一定の時間遅れでもって隔壁シート１１と、包袋別面１３とを溶着する。
【００１３】
前記とは異なり、図３においてまず軌道６０を通って一対のシーラ３１、３２の間に包袋を搬入した場合は、図１においてシーラ３１、３２により隔壁シート１１と、包袋別面１３とを溶着し、その後、軌道８０から包袋１０を一対のシーラ２１、２２間に送り、当該セクションでもって図１のごとくシーラ２１、２２は一定の時間遅れでもって袋口を密封する。
【００１４】
図１では包袋１０に設けた隔壁シート１１１同じ高さ位置に一対のシーラ３１、３２を配置したように図示しているが、包袋における隔壁シート１１の取り付け位置が変わった場合、図示のままでは前記シート１１と包袋との溶着適合が発生する。そこで図７のごとく前位セクションでシールバー２１により袋口を溶着密封した包袋１０を、矢印３５に沿って後位の所定セクションに搬送した場合、当該セクションでは包袋１０の両側クランプ２０の挟圧力を緩める一方、別箇の挟持爪３６は包袋１０を掴んでどう包袋を上または下方向に位置変化させ、設置するシーラ３１と、前記包袋に設けた隔壁シート１１との位置調整を行うことができる。
【図面の簡単な説明】
【００１５】
【図１】包袋の短縮断面図
【図２】包袋の短縮断面図
【図３】包袋搬送軌道の平面図
【図４】包袋袋口の正面図
【図５】袋口の斜視図
【図６】袋口の斜視図
【図７】包袋運搬軌道の側面図
【符号の説明】
【００１６】
１０‥‥包袋
１１‥‥隔壁シート
１２‥‥片側面
１３‥‥他側面
１５‥‥ジッパー
１７‥‥シートの裏側面
１８‥‥被包装物の充填通路
２０‥‥クランプ
２１、２２‥‥シールバー
２５‥‥オープテープ
３１‥‥冷却シーラ
３２‥‥加熱シーラ
３６‥‥挟持爪
【図１】
0003113929.tif 000003
【図２】
0003113929.tif 000004
【図３】
0003113929.tif 000005
【図４】
0003113929.tif 000006
【図５】
0003113929.tif 000007
【図６】
0003113929.tif 000008
【図７】
0003113929.tif 000009